(57)【要約】【課題】外装ケースの全長をできるかぎり短くしながら耐衝撃強度を向上する。【解決手段】パック電池は、互いに外周壁１１、１２を連結して内部に電池収納部４を設けてなるプラスチック製の細長い外装ケース１と、この外装ケース１の電池収納部４に収納してなる電池３とを備える。外装ケース１は、装着される電子機器ケース５１から外側に突出する突出装着部５を有し、この突出装着部５に位置する外装ケース１の内側にインナーケース２を内蔵している。パック電池は、このインナーケース２の内側に、電子機器５０の外部に位置する外部電池３Ｘを収納している。【選択図】図６
2009224072.tif 000002
【特許請求の範囲】
【請求項１】
互いに外周壁(11)、(12)を連結して内部に電池収納部(4)を設けてなるプラスチック製の細長い外装ケース(1)と、この外装ケース(1)の電池収納部(4)に収納してなる電池(3)とを備えるパック電池であって、
前記外装ケース(1)が、装着される電子機器ケース(51)から外側に突出する突出装着部(5)を有し、この突出装着部(5)に位置する外装ケース(1)の内側にインナーケース(2)に内蔵して、インナーケース(2)の内側に、電子機器(50)の外部に位置する外部電池(3X)を収納していることを特徴とするパック電池。
【請求項２】
前記インナーケース(2)が、端部に耐衝撃リブ(6)を一体的に成形して設けてなる請求項１に記載されるパック電池。
【請求項３】
前記インナーケース(2)の耐衝撃リブ(6)を外装ケース(1)に連結してなる請求項１に記載されるパック電池。
【請求項４】
前記外装ケース(1)は、突出装着部(5)の突出コーナー部(5A)に傾斜面(5a)を設けており、この傾斜面(5a)の内側に位置する側壁部(21)を前記インナーケース(2)に一体的に成形して設けており、さらに、この側壁部(21)から内側に伸びるように、複数列の耐衝撃リブ(6)を一体的に成形して設けている請求項１に記載されるパック電池。
【請求項５】
前記インナーケース(2)は、突出装着部(5)の内側に、内蔵される外部電池(3X)の端面に平行な複数列の耐衝撃リブ(6)を設けている請求項１に記載されるパック電池。
【請求項６】
前記インナーケース(2)は、突出装着部(5)の内側に、内蔵される外部電池(3X)の端面に平行な複数列の耐衝撃リブ(6)を設けており、さらに複数列の耐衝撃リブ(6)の外装ケース(1)との連結部には、複数列の耐衝撃リブ(6)に直交する方向に連結してなる平面リブ(24)と、この平面リブ(24)に直交するように連結されて外装ケース(1)との間に配設してなる複数列の連結リブ(26)とを設けており、平面リブ(24)と連結リブ(26)とをインナーケース(2)に一体的に成形してなる請求項５に記載されるパック電池。
【請求項７】
前記インナーケース(2)は、突出装着部(5)の内側に、内蔵される外部電池(3X)の端面に平行な複数列の耐衝撃リブ(6)を設けており、さらに複数列の耐衝撃リブ(6)を外装ケース(1)に連結してなる請求項５に記載されるパック電池。
【発明の詳細な説明】
【技術分野】
【０００１】
本発明は、電池をプラスチック製の外装ケースに収納してなるパック電池に関し、とくにラップトップ型のマイクロコンピュータ等の電子機器に突出するように装着されて、突出部の耐衝撃強度を向上するパック電池に関する。
【背景技術】
【０００２】
ラップトップ型のマイクロコンピュータに装着されるパック電池は、マイコンから突出するように装着して、放電容量を大きくできる。このパック電池は、マイコンに装着される状態で落下されると極めて強い衝撃が加えられる。強い衝撃は外装ケースを変形し、変形した外装ケースが電池を損傷させる原因となる。このことから、この種の用途に使用される電池パックは、耐衝撃強度を向上することが大切である。本出願人は、耐衝撃強度を向上するための電池パックを開発している。（参考文献１参照）
【特許文献１】特開２００４−３２７２０６号公報
【発明の開示】
【発明が解決しようとする課題】
【０００３】
特許文献のパック電池を図１に示す。このパック電池は、プラスチックで成形してなる第１ケース９１Ａと第２ケース９１Ｂからなるケース９１と、中空カバー９２とを備える。第１ケース９１Ａは、電池９３を収納する電池収納部９４を有する。第１ケース９１Ａは、電池収納部９４に収納される電池９３の端面と対向する位置に、電池カバー壁９５を設けている。第２ケース９１Ｂは、第１ケース９１Ａよりも全長が長く、第１ケース９１Ａの電池カバ  ー壁９５から外側に突出する突出部９７を有する。第２ケース９１Ｂは、突出部９７の先端面に突出端面壁９８を設けている。中空カバー９２は、第２ケース９１Ｂの突出端面壁９８と第１ケース９１Ａの電池カバー壁９５との間に固定している。中空カバー９２は、突出端面壁９８と電池カバー壁９５との間にできる空隙の開口部を閉塞する中空形状に成形している。
【０００４】
この構造のパック電池は、電池収納部から外側に突出する突出部に中空カバーを固定して、突出部と中空カバーとで中空部分を設けて、この中空部分で衝撃を吸収する構造としている。この構造は、大きな衝撃を受けても衝撃を吸収する部分が押しつぶされることがないので、落下等による強い衝撃を有効に吸収でき、耐落下強度を向上できる。さらに、この電池パックは、電池収納部の外側に設けた中空部分で衝撃を吸収するので、仮に強い衝撃によって第２ケースの突出部や中空カバーが損傷されることがあっても、内側の電池収納部に損傷を与えることなく電池等を有効に保護できる。
【０００５】
しかしながら、特許文献１のパック電池は、両端部に中空部分を設けるので、電池の全長に対して外装ケースが長くなる欠点がある。このため、耐衝撃強度を向上するためにパック電池の全長が長くなる欠点がある。本発明は、さらにこの欠点を解決することを目的に開発されたものである。本発明の重要な目的は、外装ケースの全長をできるかぎり短くしながら耐衝撃強度を向上できるパック電池を提供することにある。
【課題を解決するための手段】
【０００６】
本発明のパック電池は、前述の目的を達成するために以下の構成を備える。
パック電池は、互いに外周壁１１、１２を連結して内部に電池収納部４を設けてなるプラスチック製の細長い外装ケース１と、この外装ケース１の電池収納部４に収納してなる電池３とを備える。外装ケース１は、装着される電子機器ケース５１から外側に突出する突出装着部５を有し、この突出装着部５に位置する外装ケース１の内側にインナーケース２を内蔵している。パック電池は、このインナーケース２の内側に、電子機器５０の外部に位置する外部電池３Ｘを収納している。
【０００７】
本発明の請求項２のパック電池は、インナーケース２が、端部に耐衝撃リブ６を一体的に成形して設けている。
【０００８】
本発明の請求項３のパック電池は、インナーケース２の耐衝撃リブ６を外装ケース１に連結している。
【０００９】
本発明の請求項４のパック電池は、外装ケース１が、突出装着部５の突出コーナー部５Ａに傾斜面５ａを設けており、この傾斜面５ａの内側に位置する側壁部２１をインナーケース２に一体的に成形して設けており、さらに、この側壁部２１から内側に伸びるように、複数列の耐衝撃リブ６を一体的に成形して設けている。
【００１０】
本発明の請求項５のパック電池は、インナーケース２が、突出装着部５の内側に、内蔵される外部電池３Ｘの端面に平行な複数列の耐衝撃リブ６を設けている。
【００１１】
本発明の請求項６のパック電池は、インナーケース２が、突出装着部５の内側に、内蔵される外部電池３Ｘの端面に平行な複数列の耐衝撃リブ６を設けている。さらに、インナーケース２は、複数列の耐衝撃リブ６の外装ケース１との連結部に、複数列の耐衝撃リブ６に直交する方向に連結してなる平面リブ２４と、この平面リブ２４に直交するように連結されて外装ケース１との間に配設してなる複数列の連結リブ２６とを一体的に成形している。
【００１２】
本発明の請求項７のパック電池は、インナーケース２が、突出装着部５の内側に、内蔵される外部電池３Ｘの端面に平行な複数列の耐衝撃リブ６を設けており、さらに、複数列の耐衝撃リブ６を外装ケース１に連結している。
【発明の効果】
【００１３】
本発明のパック電池は、外装ケースの全長をできるかぎり短くしながら耐衝撃強度を向上できる特徴がある。それは、本発明のパック電池が、互いに外周壁を連結して内部に電池収納部を設けてなる細長い外装ケースに電池を収納しており、外装ケースが、装着される電子機器ケースから外側に突出する突出装着部を有すると共に、この突出装着部に位置する外装ケースの内側にインナーケースを内蔵して、このインナーケースの内側に電子機器の外部に位置する外部電池を収納しているからである。この構造は、電子機器に突出するように装着される突出装着部を、外装ケースとインナーケースの二重構造として、内側に外部電池を収納するので、外装ケースの全長を短くしながら、突出装着部の耐衝撃強度を向上できる。
【００１４】
本発明の請求項２のパック電池は、インナーケースの端部に耐衝撃リブを一体的に成形して設けているので、インナーケースの端部に作用する衝撃を耐衝撃リブで受けることによって、さらに突出装着部の耐衝撃強度を向上できる。
【００１５】
本発明の請求項３のパック電池は、インナーケースの耐衝撃リブを外装ケースに連結しているので、外装ケースに作用する衝撃をインナーケースの耐衝撃リブを介して外装ケースで支持する。このため、外装ケースの突出装着部の損傷を、外装ケースとインナーケースの耐衝撃リブとで有効に阻止できる。
【００１６】
本発明の請求項４のパック電池は、外装ケースが、突出装着部の突出コーナー部に傾斜面を設けており、インナーケースが、この傾斜面の内側に位置する側壁部と、この側壁部から内側に伸びる複数列の耐衝撃リブを一体的に成形して設けているので、電子機器から突出するように装着されるパック電池が、電子機器と一緒に落下して、突出装着部の突出コーナー部に加えられる衝撃を、インナーケースに設けている複数列の耐衝撃リブで支持して、突出コーナー部を極めて強靱な構造として、この部分の耐衝撃強度を相当に向上できる。とくに、パック電池を装着している電子機器が、突出コーナー部を下端とする姿勢で落下されて、突出コーナー部に強い衝撃が作用する状態で、突出コーナー部の耐衝撃強度を著しく向上できる。
【００１７】
本発明の請求項５のパック電池は、インナーケースが、突出装着部の内側に、内蔵される電池の端面に平行な複数列の耐衝撃リブを設けているので、電子機器から突出するように装着されるパック電池が、電子機器と一緒に落下する状態で、突出装着部に加えられる衝撃を、複数列の耐衝撃リブで支持して、突出装着部の耐衝撃強度を向上できる。
【００１８】
本発明の請求項６のパック電池は、インナーケースが、突出装着部の内側に、内蔵される電池の端面に平行な複数列の耐衝撃リブを設けると共に、複数列の耐衝撃リブの外装ケースとの連結部には、複数列の耐衝撃リブに直交する方向に連結してなる平面リブと、この平面リブに直交するように連結されて外装ケースとの間に配設してなる複数列の連結リブとをインナーケースに一体的に成形して設けている。この構造のパック電池は、電子機器から突出するように装着されるパック電池が、突出装着部を下向きとして落下するとき、突出装着部に作用する衝撃を、耐衝撃リブで受け、この耐衝撃リブの衝撃を平面リブで分散し、さらに、分散された衝撃を複数の連結リブで外装ケースに伝達することにより、突出装着部に局部的に作用する強い衝撃を、耐衝撃リブと平面リブと連結リブと外装ケースとで分散して支持して、突出装着部の耐衝撃強度を著しく向上する。
【００１９】
本発明の請求項７のパック電池は、インナーケースが、突出装着部の内側に、内蔵される外部電池の端面に平行な複数列の耐衝撃リブを設けており、さらに、複数列の耐衝撃リブを外装ケースに連結しているので、電子機器から突出するように装着されるパック電池が、電子機器と一緒に落下して、突出装着部に加えられる衝撃を、複数列の耐衝撃リブと外装ケースで支持して、突出装着部の耐衝撃強度を向上できる。
【発明を実施するための最良の形態】
【００２０】
以下、本発明の実施例を図面に基づいて説明する。ただし、以下に示す実施例は、本発明の技術思想を具体化するためのパック電池を例示するものであって、本発明はパック電池を以下のものに特定しない。
【００２１】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２２】
図２ないし図１３に示す第１の実施例のパック電池と、図１４ないし図１８に示す第２の実施例のパック電池は、ラップトップ型のパーソナルコンピュータ等の電子機器５０に脱着できるように装着される。これらのパック電池は、図２と図１５に示すように、装着される電子機器５０の電子機器ケース５１から外部に突出する突出装着部５を一部に設けている。これらのパック電池は、突出装着部５にも電池３を収納して充電容量を大きくしている。ただし、本発明は、パック電池を装着する電子機器をラップトップ型のパーソナルコンピュータには特定せず、たとえば、プリンターやＰＤＡ等の他の携帯電子機器に装着するものとすることもできる。
【００２３】
図２ないし図１７に示すパック電池は、プラスチック製の細長い外装ケース１に複数の電池３を収納している。外装ケース１は、プラスチック製のトップケース１Ａとボトムケース１Ｂとを互いに外周壁１１、１２を連結して内部に電池収納部４を設けている。さらに、パック電池は、ボトムケース１Ｂの内側にインナーケース２を内蔵して、このインナーケース２の内側に電池３を収納している。インナーケース２は、ボトムケース１Ｂの内面に沿う形状にプラスチックを成形している。インナーケース２は端部に耐衝撃リブ６を一体的に成形して設けている。
【００２４】
［電池］
電池３は、複数の素電池３ａを直列に直線状に連結して電池モジュール３Ａとして、複数の電池モジュール３Ａを平行な姿勢で細長い外装ケース１の電池収納部４に収納している。図のパック電池は、３本の素電池３ａを直列に直線状に連結して電池モジュール３Ａとしている。素電池３ａは、円筒形電池であるリチウムイオン電池である。ただ、素電池は、リチウムイオン電池に代わって、ニッケル水素電池やニッケルカドミウム電池等の充電できる全ての電池とすることができる。図の電池３は、３本の素電池３ａを直列に直線状に連結して電池モジュール３Ａとしているが、２本の素電池、又は４本以上の素電池を直列に直線状に連結して電池モジュールとして外装ケースに収納することもできる。さらに、図のパック電池は、３本の電池モジュール３Ａを並列に接続して外装ケース１に収納している。３本の電池モジュール３Ａは、両端の端部電極にリード板９をスポット溶接して接続して、リード板で互いに並列に接続している。
【００２５】
電池３には、回路基板７とコネクタ８を接続している。回路基板７は、電池３の保護回路を実装している。保護回路は、電池３の電圧や残容量を検出して、電池３を過充電や過放電を防止するように充電電流と放電電流を制御し、また、過電流を検出して電流を遮断する。コネクタ８は、電池３や回路基板７に接続されて、外装ケース１の電極窓１０に配設される。コネクタ８は、パソコンなどの電子機器５０にセットされて、電子機器５０のコネクタ（図示せず）に接続される。
【００２６】
以下、第１の実施例のパック電池の外装ケースとインナーケースについて詳述する。
［外装ケース］
図２ないし図１１に示すパック電池の外装ケース１は、下側のボトムケース１Ｂと上側のトップケース１Ａからなる。この外装ケース１は、電子機器５０に装着される連結側に連結フック１９を設けており、連結側の反対側、図２において左側の手前（図３において右側の後端）に、電子機器５０から突出するように装着される突出装着部５を設けている。図２及び図５ないし図９において、外装ケース１の突出装着部５の第１の端部にある突出コーナー部５Ａを傾斜面５ａとしている。傾斜面５ａは、図８に示すように、後端縁５ｂとなす角度(α)を９０度よりも大きくして鈍角としている。図のパック電池は、傾斜面５ａが後端縁５ｂとなす角度を約１１０度としている。突出コーナー部５Ａは、鈍角とすることで直角とするよりも耐衝撃強度を向上できる。
【００２７】
さらに、図８と図９のパック電池は、傾斜面５ａを設けている第１の端部と反対側の端部である第２の端部、図において突出装着部５の下側の端部に段差部５Ｂを設けている。段差部５Ｂは、図２に示すように、突出装着部５の横幅、すなわち電池モジュール３Ａの長手方向の幅を、電子機器５０に装着される部分よりも広くして横突出部５Ｃを設けている。この横突出部５Ｃによって、突出装着部５の第２の端部には、電子機器５０の後端面５１ａに接する対向壁５ｃを設けている。対向壁５ｃは、電子機器５０の後端面５１ａに接触して、突出装着部５の第２の端部に作用する衝撃を電子機器５０で支持する。
【００２８】
図３ないし図９の外装ケース１は、３本の電池モジュール３Ａを平行な姿勢で、ほぼ同一の水平面に配置している。図３は、パック電池を垂直に切断した断面図で、３本の電池モジュール３Ａを収納する状態を示している。この図に示すように、２本の電池モジュール３Ａは同一水平面に配設され、外装ケース１の突出装着部５に内蔵される外部電池３Ｘである１本の電池モジュール３Ａをわずかに上昇する位置に配置している。したがって、外装ケース１は、図３に示すように、後端側に向かって登り勾配に傾斜する形状としている。
【００２９】
さらに、図７に示すように、互いに同一水平面に配設される２本の電池モジュール３Ａは、両端面を同一面にするように平行に配設されるが、突出装着部５に内蔵される外部電池３Ｘである１本の電池モジュール３Ａは、端部を横突出部５Ｃに挿入するように配置して、他の２本の電池モジュール３Ａに対して長手方向に位置ずれして収納される。また、突出装着部５に収納される外部電池３Ｘである電池モジュール３Ａは、インナーケース２に収納されてボトムケース１Ｂに収納される。
【００３０】
ボトムケース１Ｂは、外周縁に沿って外周壁１２を一体的に成形して設けている。さらに、ボトムケース１Ｂの底面は、突出装着部５を後端に向かって上り勾配に傾斜する形状としている。また、ボトムケース１Ｂは、パック電池を電子機器５０に連結する連結フック１９を連結している。連結フック１９は、横方向に移動できるようにボトムケース１Ｂに連結されて、電子機器５０に装着される状態で、電子機器５０の装着部に設けた係止部（図示せず）に係止されて、パック電池を抜けないように連結する。
【００３１】
トップケース１Ａは、外周にボトムケース１Ｂより高い外周壁１１を一体的に成形して設けている。トップケース１Ａの外周壁１１とボトムケース１Ｂの外周壁１２を連結して、外装ケース１の内部に閉鎖空間である電池収納部４を設けている。ボトムケース１Ｂは、外装ケース１の底面を閉塞し、トップケース１Ａは外装ケース１の上面を閉塞し、外周を外周壁１１、１２で閉塞している。トップケース１Ａも、後端の突出装着部５の上面を後端に向かって上り勾配に傾斜する形状に成形して、ボトムケース１Ｂとトップケース１Ａとを連結して、外装ケース１の突出装着部５を後端に向かって上り勾配に傾斜する姿勢としている。さらに、トップケース１Ａの外周壁１１は、図４に示すように、ボトムケース１Ｂの外周壁１２の内面に沿って突出する内壁１３を一体的に成形して設けている。この内壁１３をボトムケース１Ｂの内面に配置して、トップケース１Ａとボトムケース１Ｂの外周壁１１、１２を連結している。
【００３２】
さらに、図１０の側面図に示すように、第１の端部に設けられる外装ケース１の傾斜面５ａは、ボトムケース１Ｂとトップケース１Ａの外周壁１２、１１で構成される。外装ケース１の傾斜面５ａは、この図に示すように、ボトムケース１Ｂの外周壁１２と、トップケース１Ａの外周壁１１で構成される。さらに、図４の一部拡大図に示すように、トップケース１Ａは、内壁１３を一体的に成形して設けており、これをボトムケース１Ｂの外周壁１２の内側に挿入して連結される。
【００３３】
外装ケース１の横突出部５Ｃにある対向壁５ｃを構成する外周壁１１、１２も、図１１の側面図に示すように、ボトムケース１Ｂとトップケース１Ａとで上下に分割される。この外周壁１１、１２も、トップケース１Ａに一体的に成形している内壁１３をボトムケース１Ｂの外周壁１２の内面に挿入して互いに連結される。
【００３４】
［インナーケース］
インナーケース２は、外部電池３Ｘを内側に収納して、外装ケース１の突出装着部５の内側に配設される。したがって、インナーケース２は、ボトムケース１Ｂとトップケース１Ａの突出装着部５の内側に沿う形状に成形されて、電子機器５０の外部に配設される外部電池３Ｘを内側に収納する。さらに、インナーケース２は、端部に耐衝撃リブ６を一体的に成形して、端部の耐衝撃強度を向上している。
【００３５】
インナーケース２を図１２と図１３に示す。これらのインナーケース２は、図において左側に位置する第１の端部と、右側に位置する第２の端部の両端に耐衝撃リブ６を設けている。
【００３６】
第１の端部には、複数列の耐衝撃リブ６を設けている。インナーケース２は、図５、図６及び図８に示すように、第１の端部に、外装ケース１の傾斜面５ａの内側に配設される側壁部２１を一体的に成形して設けて、この側壁部２１から内側に伸びるように、複数列の耐衝撃リブ６を設けている。図８と図１３の平面図に示す耐衝撃リブ６は、３列の耐衝撃リブ６を外部電池３Ｘの端部電極に対して約３０度となる姿勢に設けている。さらに、図のインナーケース２は、外部電池３Ｘの端部電極に沿うように、隔壁２２も一体的に成形して設けている。隔壁２２に最も近い耐衝撃リブ６は、隔壁２２と側壁部２１との間にあって、隔壁２２と側壁部２１とに連結するようにインナーケース２に一体的に成形して設けている。このインナーケース２は、外装ケース１の内側に配設されて、耐衝撃リブ６を、側壁部２１を介して外装ケース１の傾斜面５ａに連結している。このインナーケースは、図８と図９の矢印で示すように、突出コーナー部５Ａの傾斜面５ａに作用する衝撃を、側壁部２１で受け、さらにこの側壁部２１で受ける衝撃を複数の耐衝撃リブ６で受けて耐衝撃強度を向上している。ここで、別の見方をするなら、隔壁２２、側壁部２１も、耐衝撃リブとして機能している。
【００３７】
インナーケース２の第２の端部には、図７、図１２、及び図１３に示すように、内蔵される外部電池３Ｘの端面に平行な複数列の、図にあっては、２列の耐衝撃リブ６を所定の間隔離して設けている。２列の耐衝撃リブ６は、外側を厚く、外部電池３Ｘの端部電極に対向する内側を薄くしている。この耐衝撃リブ６は、外側を厚くして耐衝撃強度を強くして、外部電池３Ｘの端部電極に対向する内側を薄くして、端部電極に衝突する緩衝作用を大きくしている。さらに、外側と内側の耐衝撃リブ６の間に連結リブ２３を一体的に成形して設けて、２列の耐衝撃リブ６の耐衝撃強度を向上している。外側の耐衝撃リブ６は、外装ケース１の外周壁１１、１２の内側、正確には、トップケース１Ａの外周壁１１に設けている内壁１３の内側に接近する形状に成形している。
【００３８】
さらに、図７ないし図９、図１２及び図１３のインナーケース２は、第２の端部に、外装ケース１の横突出部５Ｃに設けている外周壁１１、１２の対向壁５ｃの内側に対向するように平面リブ２４を一体的に成形して設けて、この平面リブ２４に複数列の耐衝撃リブ６を連結している。また、平面リブ２４と内側の耐衝撃リブ６とのコーナー部には、両者を三角形に連結する傾斜リブ２５を一体的に成形して設けている。この平面リブ２４には、対向壁５ｃの内面に向かって突出する複数列の連結リブ２６を一体的に成形して設けている。平面リブ２４と対向壁５ｃの間隔は、上から下に向かって広くなるので、連結リブ２６の幅は、上から下に向かって広くしている。すなわち、連結リブ２６は、対向壁５ｃの内面に接近する幅に成形している。このインナーケース２は、外装ケース１の内側に配設されて、耐衝撃リブ６を、平面リブ２４と傾斜リブ２５と連結リブ２６とを介して外装ケース１の対向壁５ｃに連結している。連結リブ２６は、平面リブ２４と対向壁５ｃとの間にあって、図８と図９の矢印で示すように、外装ケース１の横突出部５Ｃに外部から作用して耐衝撃リブ６に作用する衝撃を、平面リブ２４から外装ケース１の対向壁５ｃに伝えて、第２の端部の耐衝撃強度を向上する。この構造は、突出装着部５の第２の端部に作用する衝撃を、外装ケース１の外周壁１１から２列の耐衝撃リブ６に、さらに耐衝撃リブ６から平面リブ２４に、さらに平面リブ２４から複数列の連結リブ２６に、さらに連結リブ２３が対向壁５ｃに、さらに対向壁５ｃから電子機器ケース５１に伝えて、この部分の耐衝撃強度を向上する。すなわち、第２の端部に作用する衝撃を、複数列の耐衝撃リブ６で支持し、さらにこの耐衝撃リブ６の衝撃を平面リブ２４で支持し、さらにまた平面リブ２４の衝撃を連結リブ２６で支持し、さらに連結リブ２６の衝撃を外周壁１１で支持し、さらに対向壁５ｃの衝撃を電子機器ケース５１で支持するように分散し、また強固な電子機器ケース５１で支持することで、耐衝撃強度を向上して、外部電池３Ｘを有効に保護する。ここで、別の見方をするなら、平面リブ２４、傾斜リブ２５、連結リブ２６も、耐衝撃リブとして機能している。
【００３９】
インナーケース２の両端に設けている耐衝撃リブ６の上下幅は、ボトムケース１Ｂの底面とトップケース１Ａの天面との内面に接近する幅、すなわち、外装ケース１の内側の上下幅に等しくしている。このインナーケース２は、図４に示すように、耐衝撃リブ６の上端と下端を、外装ケース１の内面に当接させて連結している。この構造は、ボトムケース１Ｂに作用する衝撃をボトムケース１Ｂとインナーケース２の耐衝撃リブ６を介してトップケース１Ａで支持し、あるいは、トップケース１Ａに作用する衝撃をトップケース１Ａとインナーケース２の耐衝撃リブ６を介してボトムケース１Ｂで支持する。このため、外装ケース１の突出装着部５の損傷を、ボトムケース１Ｂとトップケース１Ａとインナーケース２の耐衝撃リブ６とで有効に阻止できる。
【００４０】
さらに、第２の実施例のパック電池の外装ケースとインナーケースについて、以下に詳述する。
［外装ケース］
図１４、図１６、及び図１７に示す外装ケース１は、平面形状を細長い長方形として、一方の端部に突出脚部３０を設けている。この外装ケース１は、下側のボトムケース１Ｂと上側のトップケース１Ａからなり、図１４と図１６に示すように、電子機器５０の定位置に連結するための位置決め突出部３１を設けている。電子機器５０には、位置決め突出部３１に連結される連結フック（図示せず）を設けており、所定の位置に装着されたパック電池の位置決め突出部３１に連結フックを連結して、定位置に配置する。さらに、図の外装ケース１は、位置決め突出部３１の間にコネクタ８を配設している。これらの図に示すパック電池は、図１５の垂直断面図に示すように、パソコンなどの電子機器５０に装着されて、電子機器５０の外部に突出する突出装着部５を下部に設けている。下部の突出装着部５は、垂直断面形状を逆三角形として、その内部に外部電池３Ｘを収納している。
【００４１】
図１５と図１６の外装ケース１は、３本の電池モジュール３Ａを平行な姿勢で、逆三角形の頂点に位置するように配設している。図１５は、パック電池を垂直に切断した断面図で、３本の電池モジュール３Ａを収納する状態を示している。２本の電池モジュール３Ａは電子機器ケース５１の内部にあって同一水平面に配設され、１本の電池モジュール３Ａを外部電池３Ｘとして下段に配設して、突出装着部５に収納している。この外部電池３Ｘは、上段に配置する２本の電池モジュール３Ａの間であって、その下段に配置している。したがって、外部電池３Ｘは、逆三角形である外装ケース１の突出装着部５に収納される。３本の電池モジュール３Ａは、両端の端部電極にリード板９をスポット溶接して接続して、リード板で互いに並列に接続している。また、突出装着部５に収納される外部電池３Ｘの電池モジュール３Ａは、インナーケース２に収納されてボトムケース１Ｂに収納している。
【００４２】
ボトムケース１Ｂは、図１５ないし図１７に示すように、平面形状を細長い長方形に突出脚部３０を連結する形状として、その外周縁に沿って外周壁１２を一体的に成形して設けている。ボトムケース１Ｂは、底面を三角形の２辺を構成する面に成形して、内側に断面形状を逆三角形とする突出装着部５を設けている。突出脚部３０は、電子機器ケース５１から底面に突出する突出装着部５を長手方向に延長する形状に成形している。この突出脚部３０は、突出装着部５と同一面にあって、パック電池を装着する電子機器５０の脚部として使用される。
【００４３】
トップケース１Ａは、外周に外周壁１１を一体的に成形して設けている。トップケース１Ａの外周壁１１とボトムケース１Ｂの外周壁１２を連結して、外装ケース１の内部に閉鎖空間である電池収納部４を設けている。ボトムケース１Ｂは外装ケース１の底面を閉塞し、トップケース１Ａは外装ケース１の上面を閉塞し、外周を外周壁１１、１２で閉塞している。図１５と図１６のトップケース１Ａは、外周壁１１に連結して、ボトムケース１Ｂの外周壁１２の内面に沿って突出する内壁１３を一体的に成形して設けている。この内壁１３をボトムケース１Ｂの外周壁１２の内面に配置して、トップケース１Ａとボトムケース１Ｂの外周壁１１、１２を連結している。
【００４４】
［インナーケース］
インナーケース２は、突出装着部５のボトムケース１Ｂの内側にあって、外部電池３Ｘを内側に収納している。インナーケース２は、内部に円筒形電池を直列に直線状に連結している電池モジュール３Ａを収納できるように、上方を開口する半円筒状部２８を設けて、この半円筒状部２８の外側には所定の間隔で支持リブ２９を一体的に成形して設けている。支持リブ２９は、逆三角形の２辺を構成するボトムケース１Ｂの内面に沿う形状に成形して、複数の支持リブ２９でもって半円筒状部２８をボトムケース１Ｂの突出装着部５に装着している。ここで、別の見方をするなら、支持リブ２９も、耐衝撃リブとして機能している。
【００４５】
さらに、インナーケース２は、突出脚部３０を設けている第１の端部には、一枚の耐衝撃リブ６を一体的に成形して設け、反対側の第２の端部、図１６において左側の端部には２列に耐衝撃リブ６を一体的に成形して設けて、端部の耐衝撃強度を向上している。インナーケース２は、図１７と図１８に示すように、第２の端部に、２列の耐衝撃リブ６を所定の間隔離して設けている。２列の耐衝撃リブ６は、外側を低く、外部電池３Ｘの端部電極に対向する内側を高くして、外側と内側の耐衝撃リブ６の間に連結リブ２３を一体的に成形して設けて、２列の耐衝撃リブ６の耐衝撃強度を向上している。この構造のインナーケース２は、外側と内側の耐衝撃リブ６の隙間に、衝撃吸収性を向上する金属板などの板材を挿入して、より耐衝撃強度を向上することができる。
【００４６】
インナーケース２の両端部に設けている耐衝撃リブ６は、図１７の一部拡大図に示すように、上端縁をトップケース１Ａの外周壁１１に当接させて連結している。すなわち、耐衝撃リブ６に作用する衝撃を、図の矢印で示すように、トップケース１Ａの外周壁１１に伝える構造として、突出装着部５の両端の耐衝撃強度を向上している。この構造は、ボトムケース１Ｂに作用する衝撃をボトムケース１Ｂとインナーケース２の耐衝撃リブ６を介してトップケース１Ａで支持するので、外装ケース１の突出装着部５の損傷を、ボトムケース１Ｂとインナーケース２の耐衝撃リブ６とトップケース１Ａとで有効に阻止できる。
【図面の簡単な説明】
【００４７】
【図１】従来のパック電池の分解斜視図である。
【図２】本発明の第１の実施例のパック電池の使用状態を示す概略斜視図である。
【図３】図２に示すパック電池のＡ−Ａ線断面図である。
【図４】図３に示すパック電池のＢ−Ｂ線断面図である。
【図５】図２に示すパック電池の分解斜視図である。
【図６】図５に示すパック電池の分解斜視図である。
【図７】図５に示すパック電池のトップケースを取り外した背面斜視図である。
【図８】図３に示すパック電池のトップケースを取り外して、矢印Ａで示す方向から見た平面図である。
【図９】図３に示すパック電池のトップケースを取り外して、矢印Ｂで示す方向から見た平面図である。
【図１０】図２に示すパック電池の右側面図である。
【図１１】図２に示すパック電池の左側面図である。
【図１２】図６に示すパック電池のインナーケースの背面斜視図である。
【図１３】図１０に示すインナーケースの平面図である。
【図１４】本発明の第２の実施例のパック電池の使用状態を示す概略斜視図である。
【図１５】図１４に示すパック電池の垂直横断面図である。
【図１６】図１４に示すパック電池の分解斜視図である。
【図１７】図１４に示すパック電池の一部拡大垂直縦断面図である。
【図１８】図１６に示すインナーケースの要部拡大断面図である。
【符号の説明】
【００４８】
１…外装ケース                １Ａ…トップケース
１Ｂ…ボトムケース
２…インナーケース
３…電池                      ３Ａ…電池モジュール
３ａ…素電池
３Ｘ…外部電池
４…電池収納部
５…突出装着部                ５Ａ…突出コーナー部
５Ｂ…段差部
５Ｃ…横突出部
５ａ…傾斜面
５ｂ…後端縁
５ｃ…対向壁
６…耐衝撃リブ
７…回路基板
８…コネクタ
９…リード板
１０…電極窓
１１…外周壁
１２…外周壁
１３…内壁
１９…連結フック
２１…側壁部
２２…隔壁
２３…連結リブ
２４…平面リブ
２５…傾斜リブ
２６…連結リブ
２８…半円筒状部
２９…支持リブ
３０…突出脚部
３１…位置決め突出部
５０…電子機器
５１…電子機器ケース          ５１ａ…後端面
９１…ケース                  ９１Ａ…第１ケース
９１Ｂ…第２ケース
９２…中空カバー
９３…電池
９４…電池収納部
９５…電池カバー壁
９７…突出部
９８…突出端面壁
【図１】
2009224072.tif 000003
【図２】
2009224072.tif 000004
【図３】
2009224072.tif 000005
【図４】
2009224072.tif 000006
【図５】
2009224072.tif 000007
【図６】
2009224072.tif 000008
【図７】
2009224072.tif 000009
【図８】
2009224072.tif 000010
【図９】
2009224072.tif 000011
【図１０】
2009224072.tif 000012
【図１１】
2009224072.tif 000013
【図１２】
2009224072.tif 000014
【図１３】
2009224072.tif 000015
【図１４】
2009224072.tif 000016
【図１５】
2009224072.tif 000017
【図１６】
2009224072.tif 000018
【図１７】
2009224072.tif 000019
【図１８】
2009224072.tif 000020